(57)【要約】【課題】給電中の状態において給電電力に短時間の瞬断が発生した場合でも、給電モードの誤認識を確実に防止可能なＰｏＥ受電側機器を提供する。【解決手段】ＰｏＥ給電側機器１との間で行った供給電力に関するネゴシエーション結果に基づき自ＰｏＥ受電側機器２にて設定すべき受電電圧の受電モードを決定して設定し、かつ、ＰｏＥ給電側機器１から受電した受電電圧の瞬断を検出する受電側インタフェースコントローラ３と、ＰｏＥ給電側機器１との間の接続ラインを一時的に開閉する受電電圧開閉部６、開閉制御部７とを備え、受電電圧の瞬断を検出した際に、ＰｏＥ給電側機器１側が受電電圧の切断を認識することが可能な最少時間以上の時間閾値が経過するまでの間、ＰｏＥ給電側機器１との間の接続ラインを一時的に開放した状態に設定し、該時間閾値が経過した時点で受電電圧が瞬断から回復した際に、ＰｏＥ給電側機器１との間でネゴシエーションを実施する。【選択図】図１
2020071504.tif 000002
【特許請求の範囲】
【請求項１】
ＬＡＮケーブルを介してＰｏＥ（Power  over  Ethernet）給電側機器から供給されてくる給電電圧を受電電圧として受電し、かつ、ＩＥＥＥ８０２．３ａｆ規格準拠のａｆモードおよびＩＥＥＥ８０２．３ａｔ規格準拠のａｔモードのいずれの受電モードでも動作し、
前記ＰｏＥ給電側機器との間で供給電力に関するネゴシエーションを行った結果に基づいて、自ＰｏＥ受電側機器において設定すべき前記受電電圧の受電モードを決定して、決定した該受電モードに設定する手段と、
前記ＰｏＥ給電側機器から受電した前記受電電圧の瞬断を検出する手段と、
前記ＰｏＥ給電側機器との間の接続ラインを一時的に開閉する手段と、
を有し、
前記ＰｏＥ給電側機器から受電した前記受電電圧の瞬断を検出した際に、前記ＰｏＥ給電側機器側が該受電電圧の切断を認識することが可能な最少時間以上の時間を開放状態継続時間としてあらかじめ定めた時間閾値に達する時間が経過するまでの間、前記ＰｏＥ給電側機器との間の接続ラインを一時的に開放した状態に設定し、
しかる後、前記時間閾値が経過した時点で前記ＰｏＥ給電側機器との間の前記接続ラインを接続した状態に復旧させた際に、前記ＰｏＥ給電側機器との間で前記ネゴシエーションを実施する、
ことを特徴とするＰｏＥ受電側機器。
【請求項２】
設定した前記受電モードの前記受電電圧で賄うことが可能な範囲内に自ＰｏＥ受電側機器の機能に制限したり開放したりする手段、
をさらに備え、
自ＰｏＥ受電側機器に設定した前記受電電圧の受電モードがＩＥＥＥ８０２．３ａｆ規格準拠のａｆモードであった場合には、該ａｆモードの前記受電電圧で賄うことが可能な範囲内に自ＰｏＥ受電側機器の機能に制限する、
ことを特徴とする請求項１に記載のＰｏＥ受電側機器。
【請求項３】
前記ＰｏＥ給電側機器から前記受電電圧を受電中の状態にある場合に、該受電電圧の電圧値が、あらかじめ定めた閾値Ａよりも高い場合に該受電電圧の受電モードを検出する検出動作をオンにし、該閾値Ａよりも低い電圧値としてあらかじめ定めた閾値Ｂ以下に低下した場合に該受電モードの検出動作をオフにする手段、
をさらに備え、
前記ＰｏＥ給電側機器から受電した前記受電電圧が、前記閾値Ｂ以下の電圧値としてあらかじめ任意に定めた電圧閾値以下に低下した際に、前記ＰｏＥ給電側機器との間の前記接続ラインを開放する、
ことを特徴とする請求項１または２に記載のＰｏＥ受電側機器。
【請求項４】
前記ＰｏＥ給電側機器との間の接続ラインを一時的に開閉する手段は、前記ＰｏＥ給電側機器とは別個の電源によって給電される、
ことを特徴とする請求項１ないし３のいずれかに記載のＰｏＥ受電側機器。
【請求項５】
ＬＡＮケーブルを介してＰｏＥ（Power  over  Ethernet）給電側機器から供給されてくる給電電圧を受電電圧として受電し、かつ、ＩＥＥＥ８０２．３ａｆ規格準拠のａｆモードおよびＩＥＥＥ８０２．３ａｔ規格準拠のａｔモードのいずれの受電モードでも動作することができるＰｏＥ受電側機器において該受電モードの切替制御を行い、
前記ＰｏＥ給電側機器との間で供給電力に関するネゴシエーションを行った結果に基づいて、自ＰｏＥ受電側機器において設定すべき前記受電電圧の受電モードを決定して、決定した該受電モードに設定するステップと、
前記ＰｏＥ給電側機器から受電した前記受電電圧の瞬断を検出するステップと、
前記ＰｏＥ給電側機器との間の接続ラインを一時的に開閉するステップと、
を有し、
前記ＰｏＥ給電側機器から受電した前記受電電圧の瞬断を検出した際に、前記ＰｏＥ給電側機器側が該受電電圧の切断を認識することが可能な最少時間以上の時間を開放状態継続時間としてあらかじめ定めた時間閾値に達する時間が経過するまでの間、前記ＰｏＥ給電側機器との間の接続ラインを一時的に開放した状態に設定し、
しかる後、前記時間閾値が経過した時点で前記ＰｏＥ給電側機器との間の前記接続ラインを接続した状態に復旧させた際に、前記ＰｏＥ給電側機器との間で前記ネゴシエーションを実施する、
ことを特徴とするＰｏＥ受電側機器受電モード切替制御方法。
【請求項６】
設定した前記受電モードの前記受電電圧で賄うことが可能な範囲内に自ＰｏＥ受電側機器の機能に制限したり開放したりするステップ、
をさらに有し、
自ＰｏＥ受電側機器に設定した前記受電電圧の受電モードがＩＥＥＥ８０２．３ａｆ規格準拠のａｆモードであった場合には、該ａｆモードの前記受電電圧で賄うことが可能な範囲内に自ＰｏＥ受電側機器の機能に制限する、
ことを特徴とする請求項５に記載のＰｏＥ受電側機器受電モード切替制御方法。
【請求項７】
前記ＰｏＥ給電側機器から前記受電電圧を受電中の状態にある場合に、該受電電圧の電圧値が、あらかじめ定めた閾値Ａよりも高い場合に該受電電圧の受電モードを検出する検出動作をオンにし、該閾値Ａよりも低い電圧値としてあらかじめ定めた閾値Ｂ以下に低下した場合に該受電モードの検出動作をオフにするステップ、
をさらに有し、
前記ＰｏＥ給電側機器から受電した前記受電電圧が、前記閾値Ｂ以下の電圧値としてあらかじめ任意に定めた電圧閾値以下に低下した際に、前記ＰｏＥ給電側機器との間の前記接続ラインを開放する、
ことを特徴とする請求項５または６に記載のＰｏＥ受電側機器受電モード切替制御方法。
【請求項８】
ＬＡＮケーブルを介してＰｏＥ（Power  over  Ethernet）給電側機器から供給されてくる給電電圧を受電電圧として受電し、かつ、ＩＥＥＥ８０２．３ａｆ規格準拠のａｆモードおよびＩＥＥＥ８０２．３ａｔ規格準拠のａｔモードのいずれの受電モードでも動作することができるＰｏＥ受電側機器において、該受電モードの切替制御を行う処理をコンピュータによって実行し、
前記ＰｏＥ給電側機器との間で供給電力に関するネゴシエーションを行った結果に基づいて、自ＰｏＥ受電側機器において設定すべき前記受電電圧の受電モードを決定して、決定した該受電モードに設定する機能と、
前記ＰｏＥ給電側機器から受電した前記受電電圧の瞬断を検出する機能と、
前記ＰｏＥ給電側機器との間の接続ラインを一時的に開閉する機能と、
を有し、
前記ＰｏＥ給電側機器から受電した前記受電電圧の瞬断を検出した際に、前記ＰｏＥ給電側機器側が該受電電圧の切断を認識することが可能な最少時間以上の時間を開放状態継続時間としてあらかじめ定めた時間閾値に達する時間が経過するまでの間、前記ＰｏＥ給電側機器との間の接続ラインを一時的に開放した状態に設定し、
しかる後、前記時間閾値が経過した時点で前記ＰｏＥ給電側機器との間の前記接続ラインを接続した状態に復旧させた際に、前記ＰｏＥ給電側機器との間で前記ネゴシエーションを実施する、
ことを特徴とするＰｏＥ受電側機器受電モード切替制御プログラム。
【請求項９】
設定した前記受電モードの前記受電電圧で賄うことが可能な範囲内に自ＰｏＥ受電側機器の機能に制限したり開放したりする機能、
をさらに有し、
自ＰｏＥ受電側機器に設定した前記受電電圧の受電モードがＩＥＥＥ８０２．３ａｆ規格準拠のａｆモードであった場合には、該ａｆモードの前記受電電圧で賄うことが可能な範囲内に自ＰｏＥ受電側機器の機能に制限する、
ことを特徴とする請求項８に記載のＰｏＥ受電側機器受電モード切替制御プログラム。
【請求項１０】
前記ＰｏＥ給電側機器から前記受電電圧を受電中の状態にある場合に、該受電電圧の電圧値が、あらかじめ定めた閾値Ａよりも高い場合に該受電電圧の受電モードを検出する検出動作をオンにし、該閾値Ａよりも低い電圧値としてあらかじめ定めた閾値Ｂ以下に低下した場合に該受電モードの検出動作をオフにする機能、
をさらに有し、
前記ＰｏＥ給電側機器から受電した前記受電電圧が、前記閾値Ｂ以下の電圧値としてあらかじめ任意に定めた電圧閾値以下に低下した際に、前記ＰｏＥ給電側機器との間の前記接続ラインを開放する、
ことを特徴とする請求項８または９に記載のＰｏＥ受電側機器受電モード切替制御プログラム。
【発明の詳細な説明】
【技術分野】
【０００１】
本発明は、ＩＥＥＥ８０２．３規格のＰｏＥ（Power  over  Ethernet）技術に準拠したＰｏＥ受電側機器（Powered  Device：以降、ＰＤと略記）、ＰｏＥ受電側機器（ＰＤ）受電モード切替制御方法およびＰｏＥ受電側機器（ＰＤ）受電モード切替制御プログラムに関し、特に、ＩＥＥＥ８０２．３ａｆ規格準拠のａｆモードとＩＥＥＥ８０２．３ａｔ規格準拠のａｔモードとの双方に対応するＰｏＥ受電側機器（ＰＤ）、ＰｏＥ受電側機器（ＰＤ）受電モード切替制御方法およびＰｏＥ受電側機器（ＰＤ）受電モード切替制御プログラムに関する。
【背景技術】
【０００２】
ＰｏＥスイッチなどのＬＡＮケーブルを介して電力を給電する給電側の機器をＰｏＥ給電側機器（Power Sourcing Equipment：以降、ＰＳＥと略記）と称し、一方、オフィス内等に設置されるＩＰ電話機やネットワークカメラ、アクセスポイントなどの電力を受電する受電側の機器をＰｏＥ受電側機器（Powered  Device：以降、ＰＤと略記）と称している。ＰｏＥ給電側機器（ＰＳＥ）とＰｏＥ受電側機器（ＰＤ）とは、ＩＥＥＥ８０２．３ａｆ規格準拠のａｆモードやＩＥＥＥ８０２．３ａｔ規格準拠のａｔモードにしたがって、ＬＡＮケーブルを経由して受給電される技術として知られている（例えば、特許文献１参照）。
【０００３】
市場には、ａｆモード対応のＰｏＥ給電側機器（ＰＳＥ）とａｔモード対応のＰｏＥ給電側機器（ＰＳＥ）とが出回っているが、ａｆモードよりもａｔモードの方がより多くの電力を供給することができる。一方、ＰｏＥ受電側機器（ＰＤ）に関しては、ａｔモードの受電電力で設計されたＰｏＥ受電側機器（ＰＤ）であっても、ａｆモードの供給電力の場合でも賄えるように、例えば、通信ポート使用数を減らすとか、あるいは、通信速度の上限を下げるなどによって、機能を制限することができるならば、ａｆモードのＰｏＥ給電側機器（ＰＳＥ）にも接続することが可能である。
【０００４】
しかし、そのためには、ＰｏＥ受電側機器（ＰＤ）に対して給電するＰｏＥ給電側機器（ＰＳＥ）の給電モードがａｆモードとａｔモードとのいずれのモードで動作しているかということをＰｏＥ受電側機器（ＰＤ）側で把握することが必要である。そして、ａｆモードで給電されていた場合には、ａｆモードの電力で賄えるように、ＰｏＥ受電側機器（ＰＤ）側の受電モードをａｆモードに切り替えて、機能を制限する制御を行うことが必要である。
【０００５】
図５は、現状の技術におけるＰｏＥ受電側機器（ＰＤ）の内部構成の一例を示すブロック構成図であり、ＰｏＥ給電側機器（ＰＳＥ）から供給される電力を受電する際の受電モード切替制御手段に着目してその一例を示している。図５に示すように、現状の技術におけるＰｏＥ受電側機器（ＰＤ）２Ａの受電モード切替制御手段は、受電側インタフェース（ＰＤ  Ｉ／Ｆ）コントローラ３と受電モード検出回路４とＣＰＵ５とから構成されている。なお、ＰｏＥ受電側機器（ＰＤ）２Ａは、ａｆモード、ａｔモードのいずれの給電モードのＰｏＥ給電側機器（ＰＳＥ）１からでも、ＬＡＮケーブルを経由して給電電力を受電して、給電モードに該当する受電モードに切り替えて動作することが可能である。
【０００６】
図５において、ＰｏＥ給電側機器（ＰＳＥ）１は、ＬＡＮケーブルを介して接続されたＰｏＥ受電側機器（ＰＤ）２Ａ側の受電側インタフェース（ＰＤ  Ｉ／Ｆ）コントローラ３との間で、供給電力（給電の有無、給電電圧レベルおよび給電モード）に関するＩＥＥＥ８０２．３規格に準拠したやり取り（以降、ネゴシエーションと称する）を行うことにより、ＰｏＥ受電側機器（ＰＤ）２Ａが、電力供給を要求している機器であるか否かを識別する。そして、ＰｏＥ受電側機器（ＰＤ）２Ａが電力供給を要求している機器であった場合には、ＰｏＥ給電側機器（ＰＳＥ）１は、供給すべき電力を検出して、適切な電力をＰｏＥ受電側機器（ＰＤ）２Ａに対して給電する。
【０００７】
ここで、ＰｏＥ給電側機器（ＰＳＥ）１がａｆモードの給電モードで動作している場合には、ＰｏＥ給電側機器（ＰＳＥ）１は、１ポート当たり最大１５.４Ｗの電力をＰｏＥ受電側機器（ＰＤ）２Ａに対して給電することができる。また、ＰｏＥ給電側機器（ＰＳＥ）１がａｔモードの給電モードで動作している場合、１ポート当たり最大５７Ｖ／３０Ｗの電力をＰｏＥ受電側機器（ＰＤ）２Ａに対して給電することができる。
【０００８】
なお、ＰｏＥ受電側機器（ＰＤ）２Ａは、前述したように、ａｆモードとａｔモードとのいずれの給電モードのＰｏＥ給電側機器（ＰＳＥ）１に対しても接続することが可能である。そして、ＰｏＥ給電側機器（ＰＳＥ）１がａｆモードの給電モードで動作している場合には、前述したように、ａｆモードの電力で賄うことが可能な範囲内で動作するように、自ＰｏＥ受電側機器（ＰＤ）２Ａの受電モードをａｆモードに切り替えて、自ＰｏＥ受電側機器（ＰＤ）２Ａの機能を制限することが必要になる。
【０００９】
このため、ＰｏＥ受電側機器（ＰＤ）２Ａは、受電側インタフェース（ＰＤ  Ｉ／Ｆ）コントローラ３においてＰｏＥ給電側機器（ＰＳＥ）１から受電した電力がａｆモードとａｔモードとのいずれの受電モードで電力を受電しているかということを検出する機能を有している。そして、受電側インタフェース（ＰＤ  Ｉ／Ｆ）コントローラ３が検出した受電モードの信号形式を受電モード検出回路４によりＣＰＵ５への入力が可能な形式に変換してＣＰＵ５に通知する。ＣＰＵ５は、受電モード検出回路４を経由して、受電側インタフェース（ＰＤ  Ｉ／Ｆ）コントローラ３が検出した受電モードを受け取る。ＣＰＵ５は、その受電モードがａｔモードであった場合には、自ＰｏＥ受電側機器（ＰＤ）２Ａの受電モードをａｔモードに設定して、自ＰｏＥ受電側機器（ＰＤ）２Ａのすべての機能をフルに使用することが可能な状態に設定する。
【００１０】
これに対して、検出した受電モードがａｆモードであった場合には、ＣＰＵ５は、自ＰｏＥ受電側機器（ＰＤ）２Ａの受電モードをａｔモードからａｆモードに切り替えて、ａｆモードの電力で賄うことができる状態に設定するために、自ＰｏＥ受電側機器（ＰＤ）２Ａの機能を制限する。
【先行技術文献】
【特許文献】
【００１１】
【特許文献１】特開２００９−１１０９３号公報
【発明の概要】
【発明が解決しようとする課題】
【００１２】
しかしながら、本発明に関連する現状の技術におけるＰｏＥ受電側機器（ＰＤ）においては、以下のような解決するべき課題がある。
【００１３】
第１の課題は、ａｔモードで動作するＰｏＥ給電側機器（ＰＳＥ）に接続したＰｏＥ受電側機器（ＰＤ）がａｔモードの受電モードで動作中にあった場合である。この場合、ＬＡＮケーブルの抜き差し等が実施されて、ＩＥＥＥ８０２．３規格には定義されていない瞬断がＰｏＥ受電側機器（ＰＤ）に対する給電電力に発生すると、瞬断後に元の給電状態に復帰しても、ＰｏＥ給電側機器（ＰＳＥ）からの給電モードがａｆモードであると誤認識して、ＰｏＥ受電側機器（ＰＤ）は受電モードをａｆモードに切り替えてしまう場合が生じることである。
【００１４】
その理由は、ＩＥＥＥ規格においては、ＰｏＥ給電側機器（ＰＳＥ）側は、ＰｏＥ受電側機器（ＰＤ）との接続が切断されたことを３００〜４００ｍｓの間継続して検出した場合には、ＰｏＥ受電側機器（ＰＤ）に対する給電動作を直ちに停止して、ネゴシエーションをし直すという仕様である。しかし、３００〜４００ｍｓよりも短い短時間の間に回復するような瞬断があった場合には、ＰｏＥ給電側機器（ＰＳＥ）は、ＰｏＥ受電側機器（ＰＤ）との接続が切断されたことを認識することがなく、ＰｏＥ受電側機器（ＰＤ）側の受電側インタフェース（ＰＤ  Ｉ／Ｆ）コントローラ３との間のネゴシエーションが実施されないためである。
【００１５】
第２の課題は、ＰｏＥ受電側機器（ＰＤ）が、ＰｏＥ給電側機器（ＰＳＥ）がａｆモードの給電モードであると誤認識して機能を制限してしまうと、ＰｏＥ受電側機器（ＰＤ）本来の機能仕様をフルに生かした動作ができなくなることである。例えば、ＰｏＥ受電側機器（ＰＤ）の仕様を給電モードがａｆモードの場合には自ＰｏＥ受電側機器（ＰＤ）の全ての機能を停止するという仕様に設定していた場合には、ＰｏＥ受電側機器（ＰＤ）を再起動させることが必要になり、システム運用上の解決するべき課題となる。
【００１６】
その理由は、システム運用上の問題が発生するか否かによらず、ＰｏＥ給電側機器（ＰＳＥ）がａｆモードで動作している場合のＰｏＥ受電側機器（ＰＤ）の機能制限仕様を自ＰｏＥ受電側機器（ＰＤ）側で独自に決定して、ＰｏＥ受電側機器（ＰＤ）の機能を制限する制御を行っているためである。
【００１７】
（本開示の目的）
本開示の目的は、ａｆモード、ａｔモードのいずれの給電モードのＰｏＥ給電側機器（ＰＳＥ）からでも、ＬＡＮケーブルを経由して給電電力を受電して、給電モードに該当する受電モードに切り替えて動作することが可能なＰｏＥ受電側機器（ＰＤ）において、給電中の給電電力に短時間の瞬断が発生した場合であっても、給電モードの誤認識を確実に防止することが可能なＰｏＥ受電側機器（ＰＤ）、ＰｏＥ受電側機器（ＰＤ）受電モード切替制御方法およびＰｏＥ受電側機器（ＰＤ）受電モード切替制御プログラムを提供することにある。
【課題を解決するための手段】
【００１８】
前述の課題を解決するため、本発明によるＰｏＥ受電側機器（ＰＤ）、ＰｏＥ受電側機器（ＰＤ）受電モード切替制御方法およびＰｏＥ受電側機器（ＰＤ）受電モード切替制御プログラムは、主に、次のような特徴的な構成を採用している。
【００１９】
（１）本発明によるＰｏＥ受電側機器（ＰＤ）は、
ＬＡＮケーブルを介してＰｏＥ（Power  over  Ethernet）給電側機器から供給されてくる給電電圧を受電電圧として受電し、かつ、ＩＥＥＥ８０２．３ａｆ規格準拠のａｆモードおよびＩＥＥＥ８０２．３ａｔ規格準拠のａｔモードのいずれの受電モードでも動作し、
前記ＰｏＥ給電側機器との間で供給電力に関するネゴシエーションを行った結果に基づいて、自ＰｏＥ受電側機器において設定すべき前記受電電圧の受電モードを決定して、決定した該受電モードに設定する手段と、
前記ＰｏＥ給電側機器から受電した前記受電電圧の瞬断を検出する手段と、
前記ＰｏＥ給電側機器との間の接続ラインを一時的に開閉する手段と、
を有し、
前記ＰｏＥ給電側機器から受電した前記受電電圧の瞬断を検出した際に、前記ＰｏＥ給電側機器側が該受電電圧の切断を認識することが可能な最少時間以上の時間を開放状態継続時間としてあらかじめ定めた時間閾値に達する時間が経過するまでの間、前記ＰｏＥ給電側機器との間の接続ラインを一時的に開放した状態に設定し、
しかる後、前記時間閾値が経過した時点で前記ＰｏＥ給電側機器との間の前記接続ラインを接続した状態に復旧させた際に、前記ＰｏＥ給電側機器との間で前記ネゴシエーションを実施する、
ことを特徴とする。
【００２０】
（２）本発明によるＰｏＥ受電側機器（ＰＤ）受電モード切替制御方法は、
ＬＡＮケーブルを介してＰｏＥ（Power  over  Ethernet）給電側機器から供給されてくる給電電圧を受電電圧として受電し、かつ、ＩＥＥＥ８０２．３ａｆ規格準拠のａｆモードおよびＩＥＥＥ８０２．３ａｔ規格準拠のａｔモードのいずれの受電モードでも動作することができるＰｏＥ受電側機器において該受電モードの切替制御を行い、
前記ＰｏＥ給電側機器との間で供給電力に関するネゴシエーションを行った結果に基づいて、自ＰｏＥ受電側機器において設定すべき前記受電電圧の受電モードを決定して、決定した該受電モードに設定するステップと、
前記ＰｏＥ給電側機器から受電した前記受電電圧の瞬断を検出するステップと、
前記ＰｏＥ給電側機器との間の接続ラインを一時的に開閉するステップと、
を有し、
前記ＰｏＥ給電側機器から受電した前記受電電圧の瞬断を検出した際に、前記ＰｏＥ給電側機器側が該受電電圧の切断を認識することが可能な最少時間以上の時間を開放状態継続時間としてあらかじめ定めた時間閾値に達する時間が経過するまでの間、前記ＰｏＥ給電側機器との間の接続ラインを一時的に開放した状態に設定し、
しかる後、前記時間閾値が経過した時点で前記ＰｏＥ給電側機器との間の前記接続ラインを接続した状態に復旧させた際に、前記ＰｏＥ給電側機器との間で前記ネゴシエーションを実施する、
ことを特徴とする。
【００２１】
（３）本発明によるＰｏＥ受電側機器（ＰＤ）受電モード切替制御プログラムは、
ＬＡＮケーブルを介してＰｏＥ（Power  over  Ethernet）給電側機器から供給されてくる給電電圧を受電電圧として受電し、かつ、ＩＥＥＥ８０２．３ａｆ規格準拠のａｆモードおよびＩＥＥＥ８０２．３ａｔ規格準拠のａｔモードのいずれの受電モードでも動作することができるＰｏＥ受電側機器において、該受電モードの切替制御を行う処理をコンピュータによって実行し、
前記ＰｏＥ給電側機器との間で供給電力に関するネゴシエーションを行った結果に基づいて、自ＰｏＥ受電側機器において設定すべき前記受電電圧の受電モードを決定して、決定した該受電モードに設定する機能と、
前記ＰｏＥ給電側機器から受電した前記受電電圧の瞬断を検出する機能と、
前記ＰｏＥ給電側機器との間の接続ラインを一時的に開閉する機能と、
を有し、
前記ＰｏＥ給電側機器から受電した前記受電電圧の瞬断を検出した際に、前記ＰｏＥ給電側機器側が該受電電圧の切断を認識することが可能な最少時間以上の時間を開放状態継続時間としてあらかじめ定めた時間閾値に達する時間が経過するまでの間、前記ＰｏＥ給電側機器との間の接続ラインを一時的に開放した状態に設定し、
しかる後、前記時間閾値が経過した時点で前記ＰｏＥ給電側機器との間の前記接続ラインを接続した状態に復旧させた際に、前記ＰｏＥ給電側機器との間で前記ネゴシエーションを実施する、
ことを特徴とする。
【発明の効果】
【００２２】
本発明のＰｏＥ受電側機器（ＰＤ）、ＰｏＥ受電側機器（ＰＤ）受電モード切替制御方法およびＰｏＥ受電側機器（ＰＤ）受電モード切替制御プログラムによれば、主に、以下のような効果を奏することができる。
【００２３】
第１の効果は、ＰｏＥ給電側機器（ＰＳＥ）からの供給電力に瞬断が発生しても、ＰｏＥ受電側機器（ＰＤ）は、ＰｏＥ給電側機器（ＰＳＥ）がａｆモードとａｔモードとのいずれの給電モードで動作しているかということを正確に認識することができることである。
【００２４】
その理由は、ＰｏＥ給電側機器（ＰＳＥ）からの供給電力に瞬断が発生した場合であっても、ＰｏＥ給電側機器（ＰＳＥ）からの供給電力が切断されたことをＰｏＥ受電側機器（ＰＤ）のみならずＰｏＥ給電側機器（ＰＳＥ）側においても確実に認識して、ＰｏＥ給電側機器（ＰＳＥ）とＰｏＥ受電側機器（ＰＤ）との間で供給電力に関するネゴシエーション動作を実施することができるからである。
【００２５】
第２の効果は、ａｔモードの受電モードで動作中のＰｏＥ受電側機器（ＰＤ）は、ＰｏＥ給電側機器（ＰＳＥ）からの供給電力に瞬断が発生しても、機能を制限されることなく、本来の機能仕様で動作することができることである。
【００２６】
その理由は、ＰｏＥ給電側機器（ＰＳＥ）からの供給電圧に瞬断が発生しても、前述した第１の効果により、ＰｏＥ給電側機器（ＰＳＥ）がＰｏＥ給電側機器（ＰＳＥ）から受電する受電モードを正確に把握して、ＰｏＥ給電側機器（ＰＳＥ）から受電される電力で賄うことが可能な範囲内の機能をフルに活用できる状態に設定するからである。
【図面の簡単な説明】
【００２７】
【図１】本発明に係るＰｏＥ受電側機器（ＰＤ）の内部構成の一例を示すブロック構成図である。
【図２】図１に示したＰｏＥ受電側機器（ＰＤ）の受電側インタフェース（ＰＤ  Ｉ／Ｆ）コントローラにおける受電モード検出に関わる閾値の設定例を示す模式図である。
【図３】図１に示したＰｏＥ受電側機器（ＰＤ）において本発明に特有の受電電圧開閉部および開閉制御部を備えていない場合における受電側インタフェース（ＰＤ  Ｉ／Ｆ）コントローラの入力端に設置した観測点ａの受電電圧波形と受電モード検出回路のＣＰＵへの出力電圧波形との一例を示す電圧波形図である。
【図４】図１に示したＰｏＥ受電側機器（ＰＤ）において本発明に特有の受電電圧開閉部および開閉制御部を備えている場合における受電側インタフェース（ＰＤ  Ｉ／Ｆ）コントローラの入力端に設置した観測点ｂの受電電圧波形と受電モード検出回路のＣＰＵへの出力電圧波形との一例を示す電圧波形図である。
【図５】現状の技術におけるＰｏＥ受電側機器（ＰＤ）の内部構成の一例を示すブロック構成図である。
【発明を実施するための形態】
【００２８】
以下、本発明によるＰｏＥ受電側機器（ＰＤ）、ＰｏＥ受電側機器（ＰＤ）受電モード切替制御方法およびＰｏＥ受電側機器（ＰＤ）受電モード切替制御プログラムの好適な実施形態について添付図を参照して説明する。なお、以下の説明においては、本発明によるＰｏＥ受電側機器（ＰＤ）およびＰｏＥ受電側機器（ＰＤ）受電モード切替制御方法について説明するが、かかるＰｏＥ受電側機器（ＰＤ）受電モード切替制御方法をコンピュータにより実行可能なＰｏＥ受電側機器（ＰＤ）受電モード切替制御プログラムとして実施するようにしても良いし、あるいは、ＰｏＥ受電側機器（ＰＤ）受電モード切替制御プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００２９】
（本発明の特徴）
本発明の実施形態の説明に先立って、本発明の特徴についてその概要をまず説明する。本発明は、ＩＥＥＥ８０２．３規格のＰｏＥ（Power  over  Ethernet）技術に準拠した動作を行うＰｏＥ受電側機器（ＰＤ）が、ＰｏＥ給電側機器（ＰＳＥ）からの供給電圧の瞬断すなわち自ＰｏＥ受電側機器（ＰＤ）において受電される受電電圧の瞬断を検知する手段と該供給電圧を受電する接続ラインを一時的に開閉する手段とを備え、該供給電圧の瞬断を検知した際に、ＰｏＥ給電側機器（ＰＳＥ）側において該供給電圧の供給停止が発生していることを認識することが可能な最少時間以上の時間が経過するまで、該供給電圧を受電する接続ラインを一時的に開放することを主要な特徴としている。
【００３０】
而して、ＰｏＥ給電側機器（ＰＳＥ）からの供給電圧に瞬断が発生しても、ＰｏＥ受電側機器（ＰＤ）は、ＰｏＥ給電側機器（ＰＳＥ）との間で供給電力に関するネゴシエーションを実施することが可能になるので、ＰｏＥ受電側機器（ＰＤ）は、ＰｏＥ給電側機器（ＰＳＥ）の給電モードを誤認識することを確実に防止することができる。したがって、ＰｏＥ給電側機器（ＰＳＥ）の給電モードがａｔモードであった場合には、ＰｏＥ受電側機器（ＰＤ）における受電モードも該給電モードに該当するａｔモードに正確に設定することができ、機能を制限することなく、ＰｏＥ受電側機器（ＰＤ）本来の機能仕様で動作することができる。
【００３１】
（本発明の実施形態の構成例）
次に、本発明に係るＰｏＥ受電側機器（ＰＤ）の内部構成の一例について、図１を参照しながら説明する。図１は、本発明に係るＰｏＥ受電側機器（ＰＤ）の内部構成の一例示すブロック構成図であり、ＰｏＥ給電側機器（ＰＳＥ）から供給される電力を受電する際の受電モード切替制御手段に着目してその一例を示している。
【００３２】
図１に示すＰｏＥ受電側機器（ＰＤ）２は、受電モード切替制御手段として、現状の技術として図５に示したＰｏＥ受電側機器（ＰＤ）２Ａと同様の機能ブロックである受電側インタフェース（ＰＤ  Ｉ／Ｆ）コントローラ３と受電モード検出回路４とＣＰＵ５とを備えるとともに、その他に、さらに、受電電圧開閉部６と開閉制御部７とを追加して備えている。なお、ＰｏＥ受電側機器（ＰＤ）２は、ａｆモード、ａｔモードのいずれの給電モードのＰｏＥ給電側機器（ＰＳＥ）１からでも、ＬＡＮケーブルを経由して給電電力を受電して、給電モードに該当する受電モードに切り替えて動作することが可能である。
【００３３】
受電側インタフェース（ＰＤ  Ｉ／Ｆ）コントローラ３は、ＩＥＥＥ８０２．３規格に準拠し、ＬＡＮケーブルを介して接続されたＰｏＥ給電側機器（ＰＳＥ）１との間で、供給電力（給電の有無、給電電圧レベルおよび給電モード）に関するネゴシエーションを行うことにより、ＰｏＥ給電側機器（ＰＳＥ）１から自ＰｏＥ受電側機器（ＰＤ）２において受電すべき電力を供給させる機能を有する。また、受電側インタフェース（ＰＤ  Ｉ／Ｆ）コントローラ３は、ＰｏＥ給電側機器（ＰＳＥ）１の給電モードすなわちＰｏＥ給電側機器（ＰＳＥ）１から受電した受電電圧の受電モードがａｔモード、ａｆモードのいずれかであるかを検出する機能、該受電電圧の瞬断を含め該受電電圧の受電不能状態を検出する機能も有している。
【００３４】
また、受電モード検出回路４は、受電側インタフェース（ＰＤ  Ｉ／Ｆ）コントローラ３が検出したＰｏＥ給電側機器（ＰＳＥ）１の給電モードすなわちＰｏＥ給電側機器（ＰＳＥ）１から受電した受電電圧の受電モードに関する信号形式をＣＰＵ５に入力することが可能な信号形式に変換して出力する機能を有する。
【００３５】
また、ＣＰＵ５は、自ＰｏＥ受電側機器（ＰＤ）の受電モードの切り替えを制御する機能を有し、受電モード検出回路４を介して、受電側インタフェース（ＰＤ  Ｉ／Ｆ）コントローラ３が検出したＰｏＥ給電側機器（ＰＳＥ）１の給電モードすなわちＰｏＥ給電側機器（ＰＳＥ）１から受電した受電電圧の受電モードを受け取った結果に応じて、自ＰｏＥ受電側機器（ＰＤ）の受電モードをａｔモード、ａｆモードのいずれかに設定する。
【００３６】
そして、ＣＰＵ５は、ＰｏＥ給電側機器（ＰＳＥ）１から受電される電力で賄うことが可能な範囲内の機能に自ＰｏＥ受電側機器（ＰＤ）２の機能を制限／開放する機能も有している。例えば、ＰｏＥ給電側機器（ＰＳＥ）１の給電モードがａｆモードであった場合には、自ＰｏＥ受電側機器（ＰＤ）２の受電モードをａｆモードに切り替えて設定して、ａｆモードのＰｏＥ給電側機器（ＰＳＥ）１から受電される電力で賄うことが可能な範囲内の機能に自ＰｏＥ受電側機器（ＰＤ）２の機能を制限する。また、ＰｏＥ給電側機器（ＰＳＥ）１の給電モードがａｔモードであった場合には、自ＰｏＥ受電側機器（ＰＤ）２の受電モードをａｔモードに切り替えて設定して、ａｔモードのＰｏＥ給電側機器（ＰＳＥ）１から受電される電力で賄うことが可能な範囲内の機能として自ＰｏＥ受電側機器（ＰＤ）２の全機能をフルに活用することができる状態に設定する。
【００３７】
また、受電電圧開閉部６は、ＰｏＥ給電側機器（ＰＳＥ）１からの供給電圧を受電する受電端の位置に設置した観測点ａと受電側インタフェース（ＰＤ  Ｉ／Ｆ）コントローラ３の入力端に設置した観測点ｂとの間を接続する接続ライン上に配置され、ＰｏＥ給電側機器（ＰＳＥ）１と受電側インタフェース（ＰＤ  Ｉ／Ｆ）コントローラ３との間の接続ラインの接続を開閉するスイッチの機能を有している。
【００３８】
また、開閉制御部７は、受電電圧開閉部６のスイッチを一時的に開閉させ、ＰｏＥ給電側機器（ＰＳＥ）１からの供給電圧を受電する接続ラインを一時的に開閉させる制御を行う機能を有している。そして、受電側インタフェース（ＰＤ  Ｉ／Ｆ）コントローラ３の入力端に設置した観測点ｂの電圧を常時監視し、ＰｏＥ給電側機器（ＰＳＥ）１から受電した受電電圧が、あらかじめ定めた或る電圧閾値Ｖｔｈ以下に低下すると、以降、ＰｏＥ給電側機器（ＰＳＥ）１側がＰｏＥ受電側機器（ＰＤ）２における受電電圧が切断されたことを認識することが可能な最少時間Ｔｍｉｎ以上の時間を開放状態継続時間としてあらかじめ定めた時間閾値Ｔｔｈに達する時間が経過するまでの間、受電電圧開閉部６のスイッチをオフにするように制御する。そして、開閉制御部７は、該時間閾値ｔｔｈの時間が経過した後は、受電電圧開閉部６のスイッチをオンに復旧させるように制御する。
【００３９】
つまり、一旦、受電電圧開閉部６のスイッチをオフに設定した後、ＰｏＥ給電側機器（ＰＳＥ）１から受電した受電電圧が前記電圧閾値Ｖｔｈを上回る元の状態に復帰したとしても、前記時間閾値Ｔｔｈの時間が経過するまでの間は、受電電圧開閉部６のスイッチはオフの状態を継続させる。その結果、ＰｏＥ給電側機器（ＰＳＥ）１側は、ＰｏＥ受電側機器（ＰＤ）２との接続が切断されたことを検知することができる。しかる後、前記時間閾値Ｔｔｈの時間が経過して、受電電圧開閉部６のスイッチをオンに復旧させると、ＰｏＥ給電側機器（ＰＳＥ）１とＰｏＥ受電側機器（ＰＤ）２の受電側インタフェース（ＰＤ  Ｉ／Ｆ）コントローラ３との間で、供給電力（給電の有無、給電電圧レベルおよび給電モード）に関するネゴシエーションを実施することになる。
【００４０】
（本発明の実施形態の動作の説明）
次に、本発明の一実施形態として図１に示したＰｏＥ受電側機器（ＰＤ）２の動作の一例を、図２〜図４の図面を参照しながら詳細に説明する。まず、図２の模式図について説明する。図２は、図１に示したＰｏＥ受電側機器（ＰＤ）２の受電側インタフェース（ＰＤ  Ｉ／Ｆ）コントローラ３における受電モード検出に関わる閾値の設定例を示す模式図である。
【００４１】
図２の模式図において、ＰｏＥ給電側機器（ＰＳＥ）１から供給される供給電力すなわちＰｏＥ受電側機器（ＰＤ）２の受電電圧は、ＩＥＥＥ８０２．３規格に定められた０Ｖ〜５７Ｖの範囲内であるが、ＰｏＥ受電側機器（ＰＤ）２には、該受電電圧の範囲内において、電圧が高い順に閾値Ａ、閾値Ｂ、閾値Ｃの３個の閾値があらかじめ設定されている。
【００４２】
そして、ＰｏＥ受電側機器（ＰＤ）２における受電電圧が、閾値Ａを超えて大きい電圧値であることを検出すると、受電側インタフェース（ＰＤ  Ｉ／Ｆ）コントローラ３における受電モードの検出動作がオンとなる。そして、受電側インタフェース（ＰＤ  Ｉ／Ｆ）コントローラ３において検出した受電モードの検出結果が、受電電圧が閾値Ｂ以下に低下するまで、受電モード検出回路４を介してＣＰＵ５に対して出力されるという動作を継続する。
【００４３】
また、受電電圧が閾値Ｂ以下に低下した場合には、受電側インタフェース（ＰＤ  Ｉ／Ｆ）コントローラ３の受電モードの検出動作はオンからオフに切り替わり、受電側インタフェース（ＰＤ  Ｉ／Ｆ）コントローラ３は受電モード検出回路４を介して受電モードをＣＰＵ５に対して出力する動作を停止する。以降、受電電圧がさらに低下して閾値Ｃ以下に達して初期状態にリセットしない限り、受電側インタフェース（ＰＤ  Ｉ／Ｆ）コントローラ３における受電モードの検出動作はオフのままになる。
【００４４】
なお、受電側インタフェース（ＰＤ  Ｉ／Ｆ）コントローラ３の受電モードの検出動作がオンになると、受電側インタフェース（ＰＤ  Ｉ／Ｆ）コントローラ３において検出された受電モード（すなわちＰｏＥ給電側機器（ＰＳＥ）１の給電モード）の検出結果は、受電モード検出回路４に対して出力される。受電モード検出回路４は、受電側インタフェース（ＰＤ  Ｉ／Ｆ）コントローラ３が検出した受電モードに関する信号形式をＣＰＵ５に入力するための信号形式に変換する動作を行う。つまり、受電モード検出回路４は、受電側インタフェース（ＰＤ  Ｉ／Ｆ）コントローラ３が検出したＰｏＥ受電側機器（ＰＤ）２における受電モードがａｆモードであった場合には、Ｈｉｇｈレベルの検出信号をＣＰＵ５に対して出力し、一方、受電側インタフェース（ＰＤ  Ｉ／Ｆ）コントローラ３が検出したＰｏＥ受電側機器（ＰＤ）２における受電モードがａｔモードであった場合には、Ｌｏｗレベルの検出信号をＣＰＵ５に対して出力する。
【００４５】
ＣＰＵ５は、受電モード検出回路４が出力する検出信号のＨｉｇｈレベル／Ｌｏｗレベルに基づいて、受電側インタフェース（ＰＤ  Ｉ／Ｆ）コントローラ３が検出した受電モード（すなわちＰｏＥ給電側機器（ＰＳＥ）１の給電モード）を認識し、認識した受電モードの受電電圧において賄うことができる最大限の消費電力状態に設定するために、ＰｏＥ受電側機器（ＰＤ）２の各種機能を制限したり開放したりすることにより、最大消費電力を制御する。
【００４６】
次に、図３に示す電圧波形図について説明する。図３は、本発明の一実施形態として図１に示したＰｏＥ受電側機器（ＰＤ）２において本発明に特有の受電電圧開閉部６および開閉制御部７を備えていない場合における受電側インタフェース（ＰＤ  Ｉ／Ｆ）コントローラ３の入力端に設置した観測点ａの受電電圧波形と受電モード検出回路４のＣＰＵ５への出力電圧波形との一例を示す電圧波形図である。そして、図３には、ＰｏＥ給電側機器（ＰＳＥ）１からの供給電圧を受電するＰｏＥ受電側機器（ＰＤ）２の受電電圧に瞬断が発生した場合の観測点ａにおける受電電圧波形を、図３（Ａ）に示し、受電モード検出回路４のＣＰＵ５への出力電圧波形を、図３（Ｂ）に示している。なお、本実施形態においては、ＰｏＥ給電側機器（ＰＳＥ）１の給電モードはａｔモードであるものとする。
【００４７】
ここで、図３に示す電圧波形図においては、ＰｏＥ受電側機器（ＰＤ）２に本発明に特有の機能として追加した受電電圧開閉部６および開閉制御部７を備えていない場合であるので、現状の技術として図５に示したＰｏＥ受電側機器（ＰＤ）２Ａと同じ回路構成である。
【００４８】
したがって、図３に示す電圧波形図は、図５に示したＰｏＥ受電側機器（ＰＤ）２Ａの受電側インタフェース（ＰＤ  Ｉ／Ｆ）コントローラ３の入力端に設置した観測点ａにおける受電電圧波形と受電モード検出回路４のＣＰＵ５への出力電圧波形の一例を示しているものと見做すこともできる。つまり、図３は、ＰｏＥ受電側機器（ＰＤ）２が本発明に特有の受電電圧開閉部６および開閉制御部７を備えていない場合には、ＰｏＥ給電側機器（ＰＳＥ）１からの供給電圧に瞬断が発生した場合、誤動作が発生してしまうことを説明するための電圧波形図である。
【００４９】
図３の電圧波形図に示すように、時刻ｔ０において、ＰｏＥ給電側機器（ＰＳＥ）１からの供給電圧をＰｏＥ受電側機器（ＰＤ）２に給電するためのＬＡＮケーブルの抜き差し等によって該供給電圧の瞬断が発生して、時刻ｔ０から時刻ｔ１に至るまでの約３００〜４００ｍｓよりも短い短時間の間、ＰｏＥ給電側機器（ＰＳＥ）１から供給される給電電圧をＰｏＥ受電側機器（ＰＤ）２において受電することができない状況が発生したものとする。
【００５０】
かかる瞬断が発生した場合、図３（Ａ）に示すように、時刻ｔ０において、ＰｏＥ給電側機器（ＰＳＥ）１から受電したＰｏＥ受電側機器（ＰＤ）２側の観測点ａにおける受電電圧は急速に低下する。そして、観測点ａにおける受電電圧が図２に示した閾値Ｂ以下にまで低下すると、受電側インタフェース（ＰＤ  Ｉ／Ｆ）コントローラ３の受電モードの検出動作はオフになり、受電側インタフェース（ＰＤ  Ｉ／Ｆ）コントローラ３は、ＰｏＥ給電側機器（ＰＳＥ）１から受電する受電モードを検出する動作を停止する。したがって、受電側インタフェース（ＰＤ  Ｉ／Ｆ）コントローラ３は、受電モードの検出動作がオフに切り替わる直前の受電モードを保持していることになる。
【００５１】
受電モードの検出動作がオフになると、ＰｏＥ受電側機器（ＰＤ）２の受電側インタフェース（ＰＤ  Ｉ／Ｆ）コントローラ３から受電モード検出回路４への受電モードの検出結果は出力されなくなる。したがって、受電モード検出回路４のＣＰＵ５への出力電圧は、図３（Ｂ）に示すように、受電モードがａｔモードであることを示すＬｏｗレベルの状態から、時刻ｔ０において、受電モード検出回路４のプルアップ抵抗により一旦Ｈｉｇｈレベルに変化するものの、その後、電圧レベルは徐々に低下していく。
【００５２】
一方、図３（Ａ）に示すように、ＰｏＥ給電側機器（ＰＳＥ）１からの供給電圧のＰｏＥ受電側機器（ＰＤ）２における瞬断状態は、時刻ｔ０から３００〜４００ｍｓよりも短い短時間が経過した時刻ｔ１の時点で解消されて、ＰｏＥ受電側機器（ＰＤ）２の観測点ａにおける受電電圧は、時刻ｔ１から元の電圧レベルに復旧する。したがって、電源断の時間が時刻ｔ０から時刻ｔ１に至るまでと短過ぎるため、ＰｏＥ給電側機器（ＰＳＥ）１側は、ＰｏＥ受電側機器（ＰＤ）２側において受電電圧の切断が発生していることを認識することができない。その結果、ＰｏＥ受電側機器（ＰＤ）２側において受電電圧の瞬断が発生しているにも関わらず、ＰｏＥ給電側機器（ＰＳＥ）１は、ＰｏＥ受電側機器（ＰＤ）２Ａ側に対してネゴシエーション波形を出力しないままになる。
【００５３】
時刻ｔ１に達して、ＰｏＥ給電側機器（ＰＳＥ）１から受電した受電電圧の瞬断が解消し、観測点ａにおける受電電圧が、元の電圧レベルに復旧して、閾値Ａを上回ると、受電側インタフェース（ＰＤ  Ｉ／Ｆ）コントローラ３の受電モードの検出動作はオフからオンに切り替わる。しかし、オンに切り替わっても、ＰｏＥ給電側機器（ＰＳＥ）１がＰｏＥ受電側機器（ＰＤ）２側の受電側インタフェース（ＰＤ  Ｉ／Ｆ）コントローラ３との間で供給電力（給電の有無、給電電圧レベルおよび給電モード）に関するネゴシエーションを実施していないため、ＰｏＥ給電側機器（ＰＳＥ）１からの供給電圧を受電している受電側インタフェース（ＰＤ  Ｉ／Ｆ）コントローラ３は、瞬断直前の受電モードのままであり、現時点の受電モードを、ａｔモードではなく、ａｆモードと誤認識してしまう。
【００５４】
その結果、図３（Ｂ）に示すように、ＰｏＥ受電側機器（ＰＤ）２の受電モード検出回路４のＣＰＵ５への出力電圧は、時刻ｔ１の時点において、誤って、ＰｏＥ給電側機器（ＰＳＥ）１から受電する受電モード（すなわち供給電圧の給電モード）がａｆモードであることを示すＨｉｇｈレベルに変化する。つまり、ＰｏＥ給電側機器（ＰＳＥ）１の給電モードが、瞬断が発生する前のａｔモードのままであるにも関わらず、誤って、受電モードがａｆモードであることを示す出力電圧をＣＰＵ５に対して出力してしまう。したがって、ＣＰＵ５は、ａｆモードの受電電圧において賄うことができる状態に設定するために、ＰｏＥ受電側機器（ＰＤ）２の各種機能を制限する制御を行ってしまう。
【００５５】
次に、図４に示す電圧波形図について説明する。図４は、本発明の一実施形態として図１に示したＰｏＥ受電側機器（ＰＤ）２において本発明に特有の受電電圧開閉部６および開閉制御部７を備えている場合における受電側インタフェース（ＰＤ  Ｉ／Ｆ）コントローラ３の入力端に設置した観測点ｂの受電電圧波形と受電モード検出回路４のＣＰＵ５への出力電圧波形との一例を示す電圧波形図である。そして、図４には、図３の場合と同様、ＰｏＥ給電側機器（ＰＳＥ）１からの供給電圧を受電するＰｏＥ受電側機器（ＰＤ）２の受電電圧に瞬断が発生した場合の観測点ｂにおける受電電圧波形を、図４（Ａ）に示し、受電モード検出回路４のＣＰＵ５への出力電圧波形を、図４（Ｂ）に示している。なお、ＰｏＥ給電側機器（ＰＳＥ）１の給電モードは、図３の場合と同様、ａｔモードであるものとする。
【００５６】
図４の場合は、ＰｏＥ受電側機器（ＰＤ）２が本発明に特有の受電電圧開閉部６および開閉制御部７を備えていることによる作用効果として、ＰｏＥ給電側機器（ＰＳＥ）１からの供給電圧に瞬断が発生した場合であっても、ＰｏＥ受電側機器（ＰＤ）２が、ＰｏＥ給電側機器（ＰＳＥ）１から受電する受電電圧の受電モードを誤認識することなく、自ＰｏＥ受電側機器（ＰＤ）２における誤動作を完全に防止している状況を説明するための電圧波形図である。
【００５７】
なお、受電電圧開閉部６は、前述したように、ＰｏＥ給電側機器（ＰＳＥ）１からの供給電圧を受電する受電端の位置に設置した観測点ａと受電側インタフェース（ＰＤ  Ｉ／Ｆ）コントローラ３の入力端の位置に設置した観測点ｂとの間の接続ラインを開閉するスイッチの機能を有している。
【００５８】
また、開閉制御部７は、前述したように、受電電圧開閉部６のスイッチを一時的に開閉させる制御を行う機能を有している。そして、ＰｏＥ給電側機器（ＰＳＥ）１からの供給電圧を自ＰｏＥ受電側機器（ＰＤ）２おける受電電圧として受電する受電側インタフェース（ＰＤ  Ｉ／Ｆ）コントローラ３の入力端の位置に設置した観測点ｂの電圧を常時監視している。ここで、観測点ｂにおける受電電圧とは、受電側インタフェース（ＰＤ  Ｉ／Ｆ）コントローラ３への入力電圧のことである。
【００５９】
開閉制御部７は、観測点ｂにおける受電電圧が、図２に示した閾値Ｂと閾値Ｃとの間の電圧値としてあらかじめ任意に定めた電圧閾値Ｖｔｈ以下に低下したことを検出した場合には、ＰｏＥ給電側機器（ＰＳＥ）１側がＰｏＥ受電側機器（ＰＤ）２との接続が切断されたことを認識することが可能な最少時間Ｔｍｉｎ以上の時間を開放状態継続時間としてあらかじめ定めた時間閾値Ｔｔｈに達する時間が経過するまでの間、受電電圧開閉部６のスイッチをオフにするように制御する。しかる後、該時間閾値Ｔｔｈを超える時間に達すると、受電電圧開閉部６のスイッチをオンにするように制御する。
【００６０】
つまり、開閉制御部７は、ＰｏＥ受電側機器（ＰＤ）２がＰｏＥ給電側機器（ＰＳＥ）１からの供給電圧を正常に受電している状態にある場合には、受電電圧開閉部６をスイッチオンの状態に設定して、ＰｏＥ給電側機器（ＰＳＥ）１からの供給電圧を受電側インタフェース（ＰＤ  Ｉ／Ｆ）コントローラ３に受電させるとともに、受電した受電電圧の受電モードを検出させる。
【００６１】
一方、瞬断等により、ＰｏＥ受電側機器（ＰＤ）２がＰｏＥ給電側機器（ＰＳＥ）１からの供給電圧を正常に受電することができない状態が発生して、観測点ｂにおける受電電圧が前記電圧閾値Ｖｔｈ以下に低下した場合には、開閉制御部７は、受電電圧開閉部６をスイッチオフの状態に設定して、ＰｏＥ給電側機器（ＰＳＥ）１からの供給電圧を受電側インタフェース（ＰＤ  Ｉ／Ｆ）コントローラ３に受電させない状態にする。
【００６２】
さらに、開閉制御部７は、一旦、受電電圧開閉部６をスイッチオフの状態に設定すると、しかる後、観測点ｂにおける受電電圧が前記電圧閾値Ｖｔｈを超える電圧値まで回復して正常に受電することができる状態に復帰したとしても、ＰｏＥ給電側機器（ＰＳＥ）１側が瞬断等によりＰｏＥ受電側機器（ＰＤ）２に正常に供給電圧を給電していないことを認識することが可能な前記最少時間Ｔｍｉｎ以上の前記時間閾値Ｔｔｈの時間に達するまでは、受電電圧開閉部６をスイッチオフの状態を継続する。
【００６３】
なお、受電電圧開閉部６および開閉制御部７は、ＰｏＥ給電側機器（ＰＳＥ）１とは別個のバッテリ等の電源により常時動作可能な状態になっており、ＰｏＥ給電側機器（ＰＳＥ）１からの受電電圧の電圧値の如何に関わらず、独立に動作することが可能である。
【００６４】
次に、図４の電圧波形図の説明に戻る。時刻ｔ０において、ＬＡＮケーブルの抜き差し等により、受電側インタフェース（ＰＤ  Ｉ／Ｆ）コントローラ３の入力端に設置した観測点ｂにおける受電電圧に瞬断が発生した場合、図３の場合と同様、図４（Ａ）に示すように、観測点ｂにおける受電電圧は、急速に低下する。そして、閾値Ｂ以下にまで低下すると、受電側インタフェース（ＰＤ  Ｉ／Ｆ）コントローラ３における受電モードの検出動作はオフになり、受電モード検出回路４はＰｏＥ給電側機器（ＰＳＥ）１から受電する受電電圧の受電モードを検出する動作を停止する。
【００６５】
さらに、観測点ｂにおける受電電圧が閾値Ｂと閾値Ｃとの間の電圧値としてあらかじめ定めた前記電圧閾値Ｖｔｈ以下にまで低下すると、開閉制御部７は、受電電圧開閉部６のスイッチをオフの状態に設定して、ＰｏＥ給電側機器（ＰＳＥ）１と受電側インタフェース（ＰＤ  Ｉ／Ｆ）コントローラ３との間の接続ラインを切断し、受電側インタフェース（ＰＤ  Ｉ／Ｆ）コントローラ３への受電電圧の入力を停止する。
【００６６】
その結果、ＰｏＥ受電側機器（ＰＤ）２における受電モード検出回路４のＣＰＵ５への出力電圧は、図４（Ｂ）に示すように、時刻ｔ０において、受電モードがａｔモードであることを示すＬｏｗレベルの状態から、受電モード検出回路４のプルアップ抵抗により一旦Ｈｉｇｈレベルに変化するものの、その後、電圧レベルは徐々に低下していく。
【００６７】
しかる後、図４においては、時刻ｔ０から３００〜４００ｍｓよりも短い短時間を経過した時刻ｔ１において、ＰｏＥ給電側機器（ＰＳＥ）１から受電した受電電圧の瞬断が解消したとしても、開閉制御部７の制御により、ＰｏＥ給電側機器（ＰＳＥ）１側がＰｏＥ受電側機器（ＰＤ）２の受電電圧の切断を認識することができる最少時間Ｔｍｉｎ以上の時間閾値Ｔｔｈの時間が経過するまでの間、受電電圧開閉部６のスイッチオフの状態を継続する。
【００６８】
その結果、図３の場合とは異なり、図４（Ａ）に示すように、観測点ｂにおける受電電圧は、時刻ｔ０から時刻ｔ２に達するまでの最少時間Ｔｍｉｎ時間以上の時間を開放状態継続時間としてあらかじめ定めた時間閾値Ｔｔｈに達するまで時間が経過する時刻ｔ３になるまで、０Ｖ近辺の電圧状態が継続する。
【００６９】
時刻ｔ０から該最少時間Ｔｍｉｎ以上の時間閾値Ｔｔｈの時間が経過した時刻ｔ３に達すると、開閉制御部７の制御により、受電電圧開閉部６のスイッチはオンの状態に復帰する。その結果、ＰｏＥ給電側機器（ＰＳＥ）１からの供給電圧により、図４（Ａ）に示すように、観測点ｂにおける受電電圧が急速に上昇して、図２に示した閾値Ａを上回ると、受電側インタフェース（ＰＤ  Ｉ／Ｆ）コントローラ３における受電モードの検出動作もオフからオンに切り替わる。
【００７０】
一方、ＰｏＥ給電側機器（ＰＳＥ）１においても、時刻ｔ０から最少時間Ｔｍｉｎ以上の時間閾値Ｔｔｈの時間が経過した時刻ｔ３まで経過すると、ＰｏＥ受電側機器（ＰＤ）２における受電電圧の切断が発生していることを認識する。したがって、ＰｏＥ給電側機器（ＰＳＥ）１は、図４には図示していないが、時刻ｔ３における受電電圧の立ち上がり時点において、ネゴシエーション波形を出力して、ＰｏＥ受電側機器（ＰＤ）２側の受電側インタフェース（ＰＤ  Ｉ／Ｆ）コントローラ３との間で供給電力（給電の有無、給電電圧レベルおよび給電モード）に関するネゴシエーションを実施する。
【００７１】
その結果、ＰｏＥ受電側機器（ＰＤ）２側の受電側インタフェース（ＰＤ  Ｉ／Ｆ）コントローラ３は、受電電圧が復旧した後においても、ＰｏＥ給電側機器（ＰＳＥ）１から受電している受電電圧の受電モードが瞬断発生前と同じａｔモードであることを正しく認識することができる。したがって、図４（Ｂ）に示すように、受電側インタフェース（ＰＤ  Ｉ／Ｆ）コントローラ３から出力される受電モードの信号形式を変換する受電モード検出回路４がＣＰＵ５へ出力する出力電圧も、時刻ｔ３の時点においては、正しく、ＰｏＥ給電側機器（ＰＳＥ）１の給電モードと同じａｔモードの受電モードであることを示すＬｏｗレベルの状態に設定される。
【００７２】
つまり、図４においては、ＰｏＥ給電側機器（ＰＳＥ）１の給電モードが、瞬断が発生する前と同じａｔモードの電圧範囲の出力電圧をＰｏＥ受電側機器（ＰＤ）２に対して出力してくるので、ＰｏＥ受電側機器（ＰＤ）２においても、瞬断発生前の受電モードであるａｔモードの受電電圧において賄うことができる電力消費状態をそのまま継続して、ＰｏＥ受電側機器（ＰＤ）２の各種機能の開放状態をそのまま継続させることができる。
【００７３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７４】
１        ＰｏＥ給電側機器（ＰＳＥ）
２        ＰｏＥ受電側機器（ＰＤ）
２Ａ      ＰｏＥ受電側機器（ＰＤ）
３        受電側インタフェース（ＰＤ  Ｉ／Ｆ）コントローラ
４        受電モード検出回路
５        ＣＰＵ
６        受電電圧開閉部
７        開閉制御部
【図１】
2020071504.tif 000003
【図２】
2020071504.tif 000004
【図３】
2020071504.tif 000005
【図４】
2020071504.tif 000006
【図５】
2020071504.tif 000007